【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
データ通信用無線ローカルエリアネットワーク（ＬＡＮ）であって、第１のパケットホッピングアクセス端末とパケットホッピングゲートウェイを含み、
前記第１のパケットホッピングアクセス端末は、
第１のクライアント装置へアドレスされたデータパケットを無線送信し、かつ第１のクライアント装置からデータパケットを無線受信する第１のトランシーバを有し、かつ
パケットホッピングプロトコルにしたがって第１のクライアント装置へアドレスされたデータパケットを無線送信しかつ第１のクライアント装置から受信したデータパケットを無線送信する第２のトランシーバを有し、前記パケットホッピングプロトコルはデータパケットルータ/リピータ機能をもち、
前記パケットホッピングゲートウェイは、
パケットホッピングプロトコルにしたがって第１のパケットホッピングアクセス端末により送信されたデータパケットを無線受信し、かつ第１のクライアント装置へアドレスされたデータパケットを無線送信する第３のトランシーバを有し
サーバとの通信を確立するためのネットワークインターフェイスを有し、かつ
各クライアント装置が無線ＬＡＮとの通信を開始したらファイアウォールと複数のクライアント装置の各々との間に仮想私設網をダイナミックに構成するセキュリティ機能を含み、ファイアウォールはパケットホッピングゲートウェイおよびサーバ間に配置される
無線ローカルエリアネットワーク（ＬＡＮ）。
【請求項２】
請求項１に記載の無線ＬＡＮであって、さらに、第２のパケットホッピングアクセス端末を含み、該第２のパケットホッピングアクセス端末は第１のクライアント装置へアドレスされたデータパケットを無線受信し、パケットホッピングプロトコルに従って第１のクライアント装置へアドレスされたデータパケットを第１のパケットホッピングアクセス端末へ無線送信し、第１のパケットホッピングアクセス端末により送信された第１のクライアント装置からのデータパケットを無線受信し、かつパケットホッピングプロトコルに従って第１のクライアント装置からパケットホッピングゲートウェイへデータパケットを無線送信する第４のトランシーバを含む無線ＬＡＮ。
【請求項３】
請求項２に記載の無線ＬＡＮであって、前記第２のパケットホッピングアクセス端末は、さらに、第２のクライアント装置へアドレスされたデータパケットを無線送信しかつ第２のクライアント装置からデータパケットを無線受信する第５のトランシーバを含み、第４のトランシーバはパケットホッピングプロトコルに従って第２のクライアント装置へアドレスされたデータパケットを無線受信しかつ第２のクライアント装置からパケットホッピングゲートウェイへデータパケットを無線送信する無線ＬＡＮ。
【請求項４】
請求項１に記載の無線ＬＡＮであって、前記パケットホッピングゲートウェイは、さらに、もう一つのクライアント装置へアドレスされたデータパケットを無線送信しかつもう一つのクライアント装置からデータパケットを無線受信するローカルトランシーバを含む無線ＬＡＮ。
【請求項５】
請求項１に記載の無線ＬＡＮであって、前記パケットホッピングゲートウェイはネットワーク管理機能を実施する無線ＬＡＮ。
【請求項６】
請求項５に記載の無線ＬＡＮであって、前記ネットワーク管理機能は各クライアント装置が無線ＬＡＮとの通信を開始したら複数のクライアント装置へアドレスをダイナミックに割当てることを含む無線ＬＡＮ。
【請求項７】
請求項５に記載の無線ＬＡＮであって、前記ネットワーク管理機能は論理名による無線ＬＡＮ装置のデータベースのメンテナンスを含む無線ＬＡＮ。
【請求項８】
請求項５に記載の無線ＬＡＮであって、前記ネットワーク管理機能はディレクトリサービスを含む無線ＬＡＮ。
【請求項９】
請求項１に記載の無線ＬＡＮであって、前記パケットホッピングゲートウェイは各クライアント装置が無線ＬＡＮとの通信を開始したらパケットホッピングゲートウェイと複数のクライアント装置の各々との間に仮想私設網をダイナミックに構成するセキュリティ機能を含む無線ＬＡＮ。
【請求項１０】
請求項９に記載の無線ＬＡＮであって、前記ネットワークインターフェイスは私設ＬＡＮに直接接続されており、私設ＬＡＮはサーバを含む無線ＬＡＮ。
【請求項１１】
請求項１に記載の無線ＬＡＮであって、前記ネットワークインターフェイスは私設ＬＡＮに直接接続されており、私設ＬＡＮはサーバを含む無線ＬＡＮ。
【請求項１２】
請求項１に記載の無線ＬＡＮであって、前記ネットワークインターフェイスはワイドエリアネットワークバックボーンを介してサーバとの通信を確立する無線ＬＡＮ。
【請求項１３】
請求項１に記載の無線ＬＡＮであって、前記第１のトランシーバは８０２.１１ｂインターフェイス標準を使用して動作する無線ＬＡＮ。
【請求項１４】
請求項１に記載の無線ＬＡＮであって、前記第１のトランシーバは８０２.１１ｂインターフェイス標準を使用して動作し、第２および第３のトランシーバは８０２.１１ａインターフェイス標準を使用して動作する無線ＬＡＮ。
【請求項１５】
請求項１に記載の無線ＬＡＮであって、前記第１のトランシーバは８０２.１１ｇインターフェイス標準を使用して動作し、第２および第３のトランシーバは８０２.１１ａインターフェイス標準を使用して動作する無線ＬＡＮ。
【請求項１６】
請求項１に記載の無線ＬＡＮであって、前記第２および第３のトランシーバは８０２.１１ａインターフェイス標準を使用して動作する無線ＬＡＮ。
【請求項１７】
請求項１に記載の無線ＬＡＮであって、前記第１、第２および第３のトランシーバは共通プロトコルを使用して動作する無線ＬＡＮ。
【請求項１８】
請求項１７に記載の無線ＬＡＮであって、前記第１のトランシーバは第１の周波数チャネルを使用して動作し、第２および第３のトランシーバは第１の周波数チャネルとは異なる第２の周波数チャネルを使用して動作する無線ＬＡＮ。
【請求項１９】
請求項１７に記載の無線ＬＡＮであって、前記第１、第２および第３のトランシーバは共通周波数チャネルを使用して動作する無線ＬＡＮ。
【請求項２０】
請求項１に記載の無線ＬＡＮであって、前記第１、第２および第３のトランシーバは共通周波数チャネルを使用して動作する無線ＬＡＮ。
【請求項２１】
請求項２０に記載の無線ＬＡＮであって、前記第１のトランシーバは第１のプロトコルを使用して動作し、第２および第３のトランシーバは第１のプロトコルとは異なる第２のプロトコルを使用して動作する無線ＬＡＮ。
【請求項２２】
請求項１に記載の無線ＬＡＮであって、前記第１のトランシーバは第１のプロトコルを使用して動作し、第２および第３のトランシーバは第１のプロトコルとは異なる第２のプロトコルを使用して動作する無線ＬＡＮ。
【請求項２３】
請求項１に記載の無線ＬＡＮであって、前記パケットホッピングプロトコルは無線ＬＡＮ内の装置を識別するのに使用される自己発見機能を含む無線ＬＡＮ。
【請求項２４】
請求項１に記載の無線ＬＡＮであって、前記パケットホッピングプロトコルはネットワーク状況に基づいて無線ＬＡＮ全体にわたってデータパケットを再ルーティングする自己回復機能を含む無線ＬＡＮ。
【請求項２５】
請求項１に記載の無線ＬＡＮであって、さらに、複数のパケットホッピングアクセス端末を含み、パケットホッピングプロトコルは複数のパケットホッピングアクセス端末とパケットホッピングゲートウェイとの間にデータパスウェイを確立するのに使用される自己構成機能を含み、データパスウェイはネットワーク状況に基づいてダイナミックに更新される無線ＬＡＮ。
【請求項２６】
請求項１に記載の無線ＬＡＮであって、前記第１のトランシーバおよび第２のトランシーバは共通ハードウェアと共に実行される無線ＬＡＮ。
【請求項２７】
請求項１に記載の無線ＬＡＮであって、前記第１のトランシーバは第１のインターフェイスアセンブリにより実行され、第２のトランシーバは第２のインターフェイスアセンブリにより実行される無線ＬＡＮ。
【請求項２８】
ワイドエリアネットワークバックボーンを有し、
請求項１に記載の第１の無線ＬＡＮを有し、パケットホッピングゲートウェイがネットワークインターフェイスを介してワイドエリアネットワークバックボーンに接続され、
ファイアウォールを介してワイドエリアネットワークバックボーンに接続されているサーバとを有する、通信網。
【請求項２９】
請求項２８に記載の通信網であって、さらに、ワイドエリアネットワークバックボーンに接続された外部ネットワークを含む通信網。
【請求項３０】
請求項２８に記載の通信網であって、さらに、第２の無線ＬＡＮを含み、該第２の無線ＬＡＮのパケットホッピングゲートウェイは第２の無線ＬＡＮのパケットホッピングゲートウェイのネットワークインターフェイスを介してワイドエリアネットワークバックボーンに接続されている通信網。
【請求項３１】
請求項３０に記載の通信網であって、前記サーバおよびファイアウォールは第１の私設ＬＡＮを含み、通信網は、さらに、第２のファイアウォールを介してワイドエリアネットワークバックボーンに接続された第２のサーバを有する第２の私設ＬＡＮを含む通信網。
【請求項３２】
請求項３１に記載の通信網であって、前記第１の無線ＬＡＮおよび第１の私設ＬＡＮはデータを交換するように構成され、前記第２の無線ＬＡＮおよび第２の私設ＬＡＮはデータを交換するように構成され、第１の無線ＬＡＮは第２の私設ＬＡＮから論理的に絶縁され、第２の無線ＬＡＮは第１の私設ＬＡＮから論理的に絶縁される通信網。
【請求項３３】
請求項３０に記載の通信網であって、前記第１および第２の無線ＬＡＮのパケットホッピングゲートウェイは多重化装置を介してワイドエリアネットワークバックボーンに接続されている通信網。
【請求項３４】
請求項２８に記載の通信網であって、さらに、第２のパケットホッピングアクセス端末を含み、該第２のパケットホッピングアクセス端末は第１のクライアント装置へアドレスされたデータパケットを無線受信し、パケットホッピングプロトコルに従って第１のクライアント装置へアドレスされたデータパケットを第１のパケットホッピングアクセス端末へ無線送信し、第１のパケットホッピングアクセス端末により送信された第１のクライアント装置からのデータパケットを無線受信し、かつパケットホッピングプロトコルに従って第１のクライアント装置からパケットホッピングゲートウェイへデータパケットを無線送信する第４のトランシーバを含む通信網。
【請求項３５】
請求項３４に記載の通信網であって、前記第２のパケットホッピングアクセス端末は、さらに、第２のクライアント装置へアドレスされたデータパケットを無線送信しかつ第２のクライアント装置からデータパケットを無線受信する第５のトランシーバを含み、第４のトランシーバはパケットホッピングプロトコルに従って第２のクライアント装置へアドレスされたデータパケットを無線受信しかつ第２のクライアント装置からパケットホッピングゲートウェイへデータパケットを無線送信する第５のトランシーバを含む通信網。
【請求項３６】
請求項２８に記載の通信網であって、前記パケットホッピングゲートウェイは、さらに、もう一つのクライアント装置へアドレスされたデータパケットを無線送信しかつもう一つのクライアント装置からデータパケットを無線受信するローカルトランシーバを含む通信網。
【請求項３７】
請求項２８に記載の通信網であって、前記パケットホッピングゲートウェイはネットワーク管理機能を実施し、該ネットワーク管理機能は各クライアント装置が無線ＬＡＮとの通信を開始したら複数のクライアント装置へアドレスをダイナミックに割当てる、論理名により無線ＬＡＮ装置のデータベースをメンテナンスする、ディレクトリサービスを行う、およびそれらの組合せの中から選択される一つ以上の機能を含む通信網。
【請求項３８】
請求項２８に記載の通信網であって、前記パケットホッピングゲートウェイは各クライアント装置が無線ＬＡＮとの通信を開始したらファイアウォールと複数のクライアント装置の各々との間に仮想私設網をダイナミックに構成するセキュリティ機能を含み、ファイアウォールはワイドエリアネットワークおよびサーバ間に配置される通信網。
【請求項３９】
請求項２８に記載の通信網であって、前記パケットホッピングプロトコルは無線ＬＡＮ内の装置を識別するのに使用される自己発見機能、ネットワーク状況に基づいて無線ＬＡＮ全体にわたりデータパケットを再ルーティングする自己回復機能、付加パケットホッピングアクセス端末およびパケットホッピングゲートウェイ間にデータパスウェイを確立するのに使用される自己構成機能であって、データパスウェイはネットワーク状況に基づいてダイナミックに更新される自己構成機能、およびそれらの組合せの中から選択される一つ以上の機能を含む機能を含む通信網。
【請求項４０】
データ通信網において、
ワイドエリアネットワークバックボーンを介したサーバとの通信を確立するネットワークインターフェイスおよびパケットホッピングプロトコルに従ってクライアント装置から発信されサーバへアドレスされるデータパケットを無線受信しかつサーバから発信されクライアント装置へアドレスされるデータパケットを無線送信するトランシーバを含むパケットホッピングゲートウェイ（ＰＨＧ）を有し、該ＰＨＧは、クライアント装置がデータ通信網との通信を開始したらファイアウォールとクライアント装置との間に仮想私設網をダイナミックに構成して動作するように配置され、前記ファイアウォールはワイドエリアネットワークバックボーンとサーバとの間に配置され、
少なくとも一つのパケットホッピングアクセス端末（ＰＨＡＳＴ）を有し、該少なくとも一つのＰＨＡＳＴはクライアント装置からサーバへ送られるデータパケットおよびサーバからクライアント装置へ送られるデータパケットに対する中間送信ノードとして作用するように動作可能に配置されており、かつ、前記少なくとも一つのＰＨＡＳＴは、クライアント装置からサーバへ送られるデータパケットおよびサーバからクライアント装置へ送られるデータパケットをパケットホッピングプロトコルに従ってルート/リピートして動作するように配置された、データ通信網。
【請求項４１】
複数のパケットホッピングアクセス端末（ＰＨＡＳＴ）およびパケットホッピングゲートウェイ（ＰＨＧ）を含むデータ通信用無線ローカルエリアネットワーク（ＬＡＮ）において、
各ＰＨＡＳＴは、
関連するクライアント装置へアドレスされたデータパケットを無線送信しかつ関連するクライアント装置からデータパケットを無線受信するローカルトランシーバと、
ポイント・ツー・ポイントプロトコルを使用して関連するクライアント装置へアドレスされたデータパケットを無線受信しかつ関連するクライアント装置から受信したデータパケットをもう一つのＰＨＡＳＴおよびＰＨＧへ無線送信する第１のスイッチャブルＬＡＮトランシーバと、を含み、
ＰＨＧは、
ポイント・ツー・ポイントプロトコルを使用して任意のＰＨＡＳＴにより送信されたデータパケットを無線受信しかつ関連するクライアント装置へアドレスされた各データパケットを選択されたＰＨＡＳＴへ無線送信する第２のスイッチャブルＬＡＮトランシーバと、
サーバとの通信を確立するネットワークインターフェイスと、を含む無線ローカルエリアネットワーク。
【請求項４２】
請求項４１に記載の無線ＬＡＮであって、ポイント・ツー・ポイントプロトコルは非同期転送モード（ＡＴＭ）である無線ＬＡＮ。
【請求項４３】
請求項４１に記載の無線ＬＡＮであって、第１および第２のスイッチャブルＬＡＮトランシーバにより使用される発信元および受信先アドレスは、ＰＨＡＳＴおよびＰＨＧが無線メッシュバックボーンとして構成されるように選択される無線ＬＡＮ。
【請求項４４】
請求項４１に記載の無線ＬＡＮであって、各ＰＨＡＳＴの第１のトランシーバはＰＨＡＳＴの第１のトランシーバの通信近辺（ｃｏｍｍｕｎｉｃａｔｉｏｎｓ  ｐｒｏｘｉｍｉｔｙ）内に配置される一つ以上のクライアント装置とのローカライズド無線網を確立し、ローカライズド無線網はパケットホッピングプロトコル以外のプロトコルで動作する無線ＬＡＮ。
【請求項４５】
複数のクライアント装置用無線ローカルエリアネットワーク（ＬＡＮ）であって、
データパケットルータ／リピータ機能を含むパケットホッピングプロトコルに従って動作するＬＡＮトランシーバと、
無線ＬＡＮ外部の装置との通信を確立するネットワークインターフェイスと、を有するパケットホッピングゲートウェイ（ＰＨＧ）を含み、かつ
各々が一つ以上のクライアント装置とのワイヤレス無線通信を確立するローカルトランシーバを有する複数のパケットホッピングアクセス端末（ＰＨＡＳＴ）と、
データパケットルータ／リピータ機能を含むパケットホッピングプロトコルに従って動作するＬＡＮトランシーバと、を含み、
ＰＨＧのＬＡＮトランシーバおよび各ＰＨＡＳＴのＬＡＮトランシーバはクライアント装置および外部装置間に中間網インフラストラクチュアを確立し、網インフラストラクチュアは、
クライアント装置により送られ外部装置へ送出するために一つのＰＨＡＳＴのローカルトランシーバにより受信されるデータパケットと、
ＰＨＧを介してクライアントへ送出するために外部装置により送られるデータパケットと、
を送出するためのダイナミックに構成可能な無線データパスウェイを含む無線ローカルエリアネットワーク。
【請求項４６】
無線ローカルエリアネットワーク（ＬＡＮ）であって、
ワイヤレスパケットホッピングサブＬＡＮを含み、それは、
外部装置との網インターフェイスおよびデータパケットルータ／リピータ機能を含むパケットホッピングプロトコルを使用して無線パケットホッピングサブＬＡＮ内で無線通信を行うＬＡＮトランシーバを有するパケットホッピングゲートウェイ（ＰＨＧ）を含み、かつ
パケットホッピングプロトコルを使用して無線パケットホッピングサブＬＡＮ内で無線通信を行うＬＡＮトランシーバを有する少なくとも１つのパケットホッピングアクセス端末（ＰＨＡＳＴ）、およびＰＨＡＳＴのローカルトランシーバの通信近辺（ｃｏｍｍｕｎｉｃａｔｉｏｎｓ  ｐｒｏｘｉｍｉｔｙ）により規定される各ＰＨＡＳＴ用ローカライズド無線サブ網を含み、一つ以上のクライアント装置との通信を確立するローカルトランシーバは通信近辺内に配置される無線ローカルエリアネットワーク。